Podtech/llm-jp-corpus-v4-ja_patent huggingface dataset:
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
複数の光源を制御するためのコントローラであって、
複数のマイクロホンと、
オリエンテーションセンサ及び／又は位置センサと、
複数のマイクロホンから音入力を受けるよう構成される受信機であって、該音入力はユーザからのユーザ入力である、受信機と、
前記複数のマイクロホンのうちの異なるマイクロホンで受ける音入力間の差に基づいて前記複数のマイクロホンに対する前記ユーザのユーザ位置を決定するよう構成される位置特定モジュールと、
複数の光源の位置を示す位置情報を受ける、前記オリエンテーションセンサから当該コントローラの向きを示す向き信号及び／又は前記位置センサから当該コントローラの位置を示す位置信号を受ける、前記向き信号及び／又は前記位置信号に基づいて当該コントローラに対する前記複数の光源の位置を決定する、当該コントローラに対する前記複数の光源の位置に基づいて前記複数の光源のうちのどの１つ以上の光源が前記ユーザ位置に関連するかを決定する、並びに、前記音入力に基づいて前記１つ以上の光源を制御するよう構成されるプロセッサと
を含む、コントローラ。
【請求項２】
前記複数の光源は、複数のエリアにわたって分散され、
前記位置情報は、前記複数の光源がどのエリアに位置するかを示し、前記位置特定モジュールは、前記ユーザ位置に基づいて前記ユーザが位置するユーザエリアを決定するよう構成され、
前記プロセッサは、どの１つ以上の光源が前記ユーザエリアに位置するかを決定する、及び前記音入力に基づいて前記ユーザエリアに位置する１つ以上の光源を制御するよう構成される、請求項１に記載のコントローラ。
【請求項３】
前記音入力は音声コマンドであり、前記複数の光源の各々は、前記複数のエリアのうちのあるエリアを記述するエリア記述と関連付けられる、請求項２に記載のコントローラ。
【請求項４】
前記音声コマンドは、前記複数のエリアのうちのターゲットエリアのターゲットエリア記述を含み、前記プロセッサは、前記音声コマンドから前記ターゲットエリア記述を取得する、１つ以上の光源のどのグループが前記ターゲットエリア記述に対応するエリア記述を有するかを決定する、及び前記音入力に基づいて前記１つ以上の光源のグループを制御するよう構成される、請求項３に記載のコントローラ。
【請求項５】
前記プロセッサは、該プロセッサが前記音声コマンドから前記ターゲットエリア記述を取得できない場合、又は、該プロセッサがどのエリア記述も前記ターゲットエリア記述に対応しないと判断した場合、前記ユーザエリアに位置する１つ以上の光源を制御するよう構成される、請求項４に記載のコントローラ。
【請求項６】
前記プロセッサは、当該コントローラの学習モードをアクティブ及び非アクティブにするよう構成され、当該コントローラが前記学習モードに設定される場合、前記プロセッサは、
前記音声コマンドから前記ユーザエリアを記述するユーザエリア記述を取得する、
前記ユーザエリア記述を前記複数の光源のエリア記述と比較することによって１つ以上の光源のセットが前記ユーザエリアに位置するかどうかを判断する、及び１つ以上の光源のセットが前記ユーザエリアに位置する場合、
前記ユーザ位置に基づいて前記１つ以上の光源のセットのうちの１つ以上の光源の光源位置を決定する
ことによって位置情報を生成するよう構成される、請求項３、４又は５に記載のコントローラ。
【請求項７】
前記プロセッサは、当該コントローラの学習モードをアクティブ及び非アクティブにするよう構成され、当該コントローラが前記学習モードに設定される場合、前記プロセッサは、
前記音声コマンドから、前記光源の識別子を記述する光源記述を取得する、
前記識別子に基づいて前記光源を識別する、
前記ユーザ位置に基づいて前記光源の位置を決定する、及び
前記複数の光源のうちの他の光源についてこれらのステップを繰り返す
ことによって位置情報を生成するよう構成される、請求項３、４又は５に記載のコントローラ。
【請求項８】
前記プロセッサは、前記音入力に基づいて前記ユーザを識別する、及び識別された前記ユーザに関連するユーザプロファイルに基づいて前記１つ以上の光源を制御するよう構成される、請求項１乃至７のいずれか一項に記載のコントローラ。
【請求項９】
前記位置特定モジュールは、前記複数のマイクロホンのうちの異なるマイクロホンで受ける音入力の信号強度の差に基づいて、及び／又は、前記複数のマイクロホンのうちの異なるマイクロホンで音入力を受ける時間差に基づいて前記ユーザの位置を決定するよう構成される、請求項１乃至８のいずれか一項に記載のコントローラ。
【請求項１０】
２つ以上の光源が前記ユーザ位置に関連する場合、前記プロセッサは、それぞれの光源と前記ユーザとの間の距離に基づいて前記２つ以上の光源を制御するよう構成される、請求項１乃至９のいずれか一項に記載のコントローラ。
【請求項１１】
複数の光源を制御するためのシステムであって、
請求項１乃至１０のいずれか一項に記載のコントローラと、
各々前記コントローラから制御信号を受信するよう構成される、複数の光源と
を含む、システム。
【請求項１２】
複数のマイクロホンと、オリエンテーションセンサ及び／又は位置センサとを含むコントローラを用いて複数の光源を制御する方法であって、
前記複数のマイクロホンから音入力を受けるステップであって、該音入力はユーザからのユーザ入力である、ステップと、
複数のマイクロホンのうちの異なるマイクロホンで受ける音入力間の差に基づいて前記複数のマイクロホンに対する前記ユーザのユーザ位置を決定するステップと、
前記コントローラに対する複数の光源の位置を示す位置情報を受けるステップと、
前記オリエンテーションセンサから前記コントローラの向きを示す向き信号及び／又は前記位置センサから前記コントローラの位置を示す位置信号を受けるステップと、
前記向き信号及び／又は前記位置信号に基づいて前記コントローラに対する前記複数の光源の位置を決定するステップと、
前記コントローラに対する前記複数の光源の位置に基づいて前記複数の光源のうちのどの１つ以上の光源が前記ユーザ位置に関連するかを決定するステップと、
前記音入力に基づいて前記１つ以上の光源を制御するステップと
を含む、方法。
【請求項１３】
コンピューティングデバイスのためのコンピュータプログラムであって、当該コンピュータプログラムがコンピューティングデバイスの処理ユニット上で実行される場合、請求項１２に記載の方法を実行するためのコンピュータプログラムコードを含む、コンピュータプログラム。
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ａ．少なくとも５％の加水分解度を有する少なくとも部分的に加水分解されたポリ酢酸ビニル成分、
ｂ．９０００ｇ／ｍｏｌ未満の数平均分子質量Ｍｎを有しかつポリエチレングリコール、ポリプロピレングリコール、エチレングリコールとプロピレングリコールのコポリマー、およびそれらの誘導体からなる群から選択される１つまたは複数の物質からなるポリアルキレングリコール成分、
ｃ．正電極活性成分または負電極活性成分、および
ｄ．導電性成分
を含む組成物であって、
前記少なくとも部分的に加水分解されたポリ酢酸ビニル成分と、前記正電極活性成分または負電極活性成分との質量比が、少なくとも０．１２以上、多くとも０．３０以下であり、
前記ポリアルキレングリコール成分と、前記正電極活性成分または負電極活性成分との質量比が、少なくとも０．０１２以上、多くとも０．１０以下である、
組成物。
【請求項２】
前記少なくとも部分的に加水分解されたポリ酢酸ビニル成分が、４０〜９９％の加水分解度を有する、請求項１に記載の組成物。
【請求項３】
前記ポリアルキレングリコール成分が、ポリエチレングリコールである、請求項１または請求項２に記載の組成物。
【請求項４】
前記ポリアルキレングリコール成分と、前記正電極活性成分または負電極活性成分との質量比が
少なくとも０．０１２および−０．０００２Ｍｎ＋２．６の最大値以上、
多くとも０．３０および−０．００１２Ｍｎ＋１０．６の最小値以下
である、請求項１〜３のいずれか１項に記載の組成物。
【請求項５】
前記ポリアルキレングリコール成分と、前記正電極活性成分または負電極活性成分との質量比が、多くとも０．３０および−０．０００４Ｍｎ＋５．６の最小値以下である、請求項４に記載の組成物。
【請求項６】
前記正電極活性成分または負電極活性成分が、レーザー回折粒度測定によって測定される１０μｍより小さい平均粒径を有する粒子からなる、請求項１〜５のいずれか１項に記載の組成物。
【請求項７】
前記導電性成分が、前記正電極活性成分または負電極活性成分の質量に対して１〜４０重量％の量で存在する、請求項１〜６のいずれか１項に記載の組成物。
【請求項８】
前記導電性成分を分散するための分散剤をさらに含む、請求項１〜７のいずれか１項に記載の組成物。
【請求項９】
ａ．水、メタノール、エタノールおよびプロパノールから選択される１つまたは複数の溶媒、および
ｂ．請求項１〜８のいずれか１項に記載の組成物
を含む液体懸濁物。
【請求項１０】
液体懸濁物の乾燥重量が、液体懸濁物の重量の０．１〜６０重量％である、請求項９に記載の液体懸濁物。
【請求項１１】
請求項１〜８のいずれか１項に記載の組成物を有するフィルム。
【請求項１２】
亀裂がなく、本質的に柔軟である、請求項１１に記載のフィルム。
【請求項１３】
請求項１１または請求項１２に記載のフィルムを含む電極。
【請求項１４】
請求項１３に記載の電極を含む電池。
【請求項１５】
基板上に請求項９または１０に記載の液体懸濁物を塗布することを含む、請求項１１または請求項１２に記載のフィルムを形成するためのプロセス。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
プラズマ閉じ込めシステムであって、
内部電極と、
前記内部電極を実質的に囲む外部電極と、
前記内部電極に面する中間電極と、
前記内部電極内から前記内部電極と前記外部電極との間の加速領域にガスを導くように構成される一つ以上の第１の弁と、
前記外部電極の外側から前記加速領域にガスを導くように構成される二つ以上の第２の弁と、
前記内部電極と前記外部電極との間に電圧を印加するように構成される第１の電源と、
前記内部電極と前記中間電極との間に電圧を印加するように構成される第２の電源と、
を備える、プラズマ閉じ込めシステム。
【請求項２】
前記中間電極は、実質的にディスク形である、請求項１に記載のプラズマ閉じ込めシステム。
【請求項３】
前記内部電極の第１の端部と前記中間電極との間にある前記外部電極内の集合領域を更に備える、請求項１または２に記載のプラズマ閉じ込めシステム。
【請求項４】
前記一つ以上の第１の弁は、前記内部電極の第１の端部と前記内部電極の第２の端部との間に軸方向に配置される、請求項１〜３のいずれか一項に記載のプラズマ閉じ込めシステム。
【請求項５】
前記一つ以上の第１の弁は、前記内部電極内に配置される、請求項１〜４のいずれか一項に記載のプラズマ閉じ込めシステム。
【請求項６】
前記二つ以上の第２の弁は、前記外部電極の外側に配置される、請求項１〜５のいずれか一項に記載のプラズマ閉じ込めシステム。
【請求項７】
前記外部電極と前記内部電極との間に第１の絶縁体を更に備える、請求項１〜６のいずれか一項に記載のプラズマ閉じ込めシステム。
【請求項８】
前記外部電極の第２の端部と前記中間電極との間に第２の絶縁体を更に備える、請求項１〜７のいずれか一項に記載のプラズマ閉じ込めシステム。
【請求項９】
プラズマ閉じ込めシステムを操作するための方法であって、前記方法は、
一つ以上の第１の弁を介して、内部電極内から前記内部電極と前記内部電極を実質的に囲む外部電極との間の加速領域にガスを導くことと、
二つ以上の第２の弁を介して、前記外部電極の外側から前記加速領域にガスを導くことと、
第１の電源を介して、前記内部電極と前記外部電極との間に電圧を印加し、それによって誘導されたガスの少なくとも一部を実質的に環状の断面を有するプラズマに変換することであって、前記プラズマは、前記内部電極の第１の端部および前記外部電極の第１の端部の方へ前記加速領域内を軸方向に流れることと、
第２の電源を介して、前記内部電極と中間電極との間に電圧を印加して、前記中間電極と前記内部電極の第１の端部との間に流れるＺピンチプラズマを確立することであって、前記中間電極は、前記外部電極の第１の端部に配置されることと、
を備える、方法。
【請求項１０】
前記中間電極は、実質的にディスク形である、請求項９に記載の方法。
【請求項１１】
前記Ｚピンチプラズマは、前記内部電極の第１の端部と前記中間電極との間にある前記外部電極内の集合領域内を流れる、請求項９または１０に記載の方法。
【請求項１２】
前記一つ以上の第１の弁は、前記内部電極の第１の端部と前記内部電極の第２の端部との間に軸方向に配置される、請求項９〜１１のいずれか一項に記載の方法。
【請求項１３】
前記一つ以上の第１の弁を介して前記ガスを導くことは、第１の弁電圧を前記一つ以上の第１の弁へ供給し、その後第２の弁電圧を前記一つ以上の第１の弁へ供給することを備える、請求項９〜１２のいずれか一項に記載の方法。
【請求項１４】
前記二つ以上の第２の弁を介して前記ガスを導くことは、第３の弁電圧を前記二つ以上の第２の弁へ供給し、その後第４の弁電圧を前記二つ以上の第２の弁へ供給することを備える、請求項９〜１３のいずれか一項に記載の方法。
【請求項１５】
前記Ｚピンチプラズマは、０．１ｍｍと５ｍｍとの間の半径を有する、請求項９〜１４のいずれか一項に記載の方法。
【請求項１６】
前記Ｚピンチプラズマは、９００ｅＶと２０００ｅＶとの間のイオン温度、および５００ｅＶより大きい電子温度を有する、請求項９〜１５のいずれか一項に記載の方法。
【請求項１７】
前記Ｚピンチプラズマは、１×１０２３イオン／ｍ３より大きいイオン数密度、または１×１０２３電子／ｍ３より大きい電子数密度を有する、請求項９〜１６のいずれか一項に記載の方法。
【請求項１８】
前記Ｚピンチプラズマは、せん断された流れを呈する、請求項９〜１７のいずれか一項に記載の方法。
【請求項１９】
前記Ｚピンチプラズマは、８Ｔを超える磁場を呈する、請求項９〜１８のいずれか一項に記載の方法。
【請求項２０】
前記Ｚピンチプラズマは、少なくとも１０μｓにわたる安定性を呈する、請求項９〜１９のいずれか一項に記載の方法。
【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
光源出力を生成するための光源と、
前記光源出力をビーム制御プレーンに集束するための光学システムと、
前記ビーム制御プレーンの後に前記光源出力を事前整形するための第１のレンズシステムと、
第１のリフレクタであって、前記第１のレンズシステムは、光を該第１のリフレクタに方向付けるように適合されている、第１のリフレクタと、
前記第１のリフレクタによって反射された光から出力ビームを生成するための第２のリフレクタと、
前記ビーム制御プレーンに位置するビーム制御システムであって、通過する光のピクセル変調を提供するためのピクセル化ディスプレイデバイスを含む、ビーム制御システムと、
を備える照明システムであって、
前記第１のリフレクタ及び前記第２のリフレクタは、前記第１のリフレクタは双曲面ミラーであり前記第２のリフレクタは放物面ミラーである、前記第１のリフレクタ及び前記第２のリフレクタは双曲面ミラーである、前記第１のリフレクタ及び前記第２のリフレクタは球面ミラーである、並びに、前記第１のリフレクタは平面ミラーであり前記第２のリフレクタは双曲面ミラーである、から成る群から選択される、照明システム。
【請求項２】
前記ビーム制御システムは、
カラーフィルタ、又は
形状生成機能
を備える、請求項１に記載のシステム。
【請求項３】
前記ピクセル化ディスプレイデバイスは、液晶パネル又はＭＥＭ変形可能ミラーアレイを備える、請求項１に記載のシステム。
【請求項４】
前記第１のレンズシステムは、３つのレンズのレンズ群を備える、請求項１、２又は３に記載のシステム。
【請求項５】
前記光学システムは、楕円面リフレクタ又は放物面リフレクタを備え、該リフレクタのフォーカルプレーンに前記光源が取り付けられる、請求項１乃至４のいずれか一項に記載のシステム。
【請求項６】
前記光源は、アークランプ又はＬＥＤ若しくはＬＥＤ配列を備える、請求項５に記載のシステム。
【請求項７】
前記光学システムは、前記光源の出力にレンズシステムを備える、請求項１乃至６のいずれか一項に記載のシステム。
【請求項８】
前記光源はＬＥＤのアレイを備え、前記レンズシステムはマイクロレンズアレイを備える、請求項７に記載のシステム。
【請求項９】
前記光源は、ＬＥＤの環状アレイを備える、請求項７又は８に記載のシステム。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
第１の導電材料層と、
前記第１の導電層上に配置された酸化物材料層と、
前記酸化物材料層上に直接配置され、金属−アルカリ合金を含む第２の導電材料層とを含み、
前記第２の導電材料層と前記酸化物材料層とが、前記第２の導電材料層に印加された正電圧パルスに応答して前記金属−アルカリ金属合金から前記酸化物材料層へのアルカリ金属のインターカレーションを生じ、
前記第２の導電材料層に印加された負電圧パルスに応答して前記酸化物材料層からのアルカリ金属の除去を生じるように構成される、
メモリスティブ・デバイス。
【請求項２】
前記酸化物材料層が遷移金属酸化物を含む、請求項１に記載のメモリスティブ・デバイス。
【請求項３】
メモリスティブ・デバイスを形成する方法であって、
第１の導電材料層の一部の上に酸化物材料層を堆積することと、
前記酸化物材料層の一部の上に、金属−アルカリ合金を含む第２の導電材料層を直接堆積することと、
前記第２の導電材料層に印加された正電圧パルスに応答して前記酸化物材料層へのアルカリ金属のインターカレーションを生じるように、前記第２の導電材料層と前記酸化物材料層とを構成することとを含む方法。
【請求項４】
前記酸化物材料層が遷移金属酸化物を含む、請求項３に記載の方法。
【請求項５】
メモリスティブ・デバイスであって、
第１の導電材料層と、
前記第１の導電材料層上に配置された酸化物材料層と、
前記酸化物材料層上に直接配置された拡散バリア層と、
前記拡散バリア層上に直接配置された第２の導電材料層とを含み、
前記第２の導電材料層が金属−アルカリ合金を含み、前記第２の導電材料層と前記酸化物材料層とが、前記第２の導電材料層に印加された正電圧パルスに応答して前記酸化物材料層へのアルカリ金属のインターカレーションを生じ、
前記第２の導電材料層に印加された負電圧パルスに応答して前記酸化物材料層からのアルカリ金属の除去を生じるように構成される、
メモリスティブ・デバイス。
【請求項６】
前記酸化物材料層がアルカリ金属にインターカレートされる、請求項５に記載のメモリスティブ・デバイス。
【請求項７】
前記酸化物材料層が遷移金属酸化物を含む、請求項５に記載のメモリスティブ・デバイス。
【請求項８】
前記遷移金属酸化物が酸化チタンを含む、請求項７に記載のメモリスティブ・デバイス。
【請求項９】
メモリスティブ・デバイスを形成する方法であって、
第１の導電材料層の一部の上に酸化物材料層を堆積することと、
前記酸化物材料層の一部の上に拡散バリア層を直接堆積することと、
前記拡散バリア層の一部の上に、金属−アルカリ合金を含む第２の導電材料層を直接堆積することと、
前記第２の導電材料層に印加された正電圧パルスに応答して前記酸化物材料層へのアルカリ金属のインターカレーションを生じるように、前記第２の導電材料層と前記酸化物材料層とを構成することとを含む方法。
【請求項１０】
前記酸化物材料層が遷移金属酸化物を含む、請求項９に記載の方法。
【請求項１１】
前記第１の導電材料層がフッ素ドープ酸化スズを含む、請求項９に記載の方法。
【請求項１２】
メモリスティブ・デバイスであって、
第１の導電材料層と、
前記第１の導電材料層上に直接配置され、アルカリ金属に一定時間暴露されて、第１の密度のアルカリ金属を含む酸化物材料を生じる酸化物材料層と、
前記酸化物材料層上に直接配置された第２の導電材料層とを含み、
前記第２の導電材料層と前記酸化物材料層とが、前記第２の導電材料層に印加された正電圧パルスに応答して前記酸化物材料層へのアルカリ金属のインターカレーションを生じて、前記酸化物材料層内に第２の密度のアルカリ金属をもたらし、
前記第２の導電材料層に印加された負電圧パルスに応答して前記酸化物材料層からの前記アルカリ金属の除去を生じて、前記酸化物材料層内に第３の密度のアルカリ金属をもたらすように構成され、
前記第２の密度は前記第１の密度より高く、
前記第３の密度は前記第２の密度より低い、
メモリスティブ・デバイス。
【請求項１３】
前記酸化物材料層が遷移金属酸化物を含む、請求項１２に記載のメモリスティブ・デバイス。
【請求項１４】
前記アルカリ金属がｎ−ブチル・リチウムを含む、請求項１３に記載のメモリスティブ・デバイス。
【請求項１５】
前記第２の導電材料層が金属−アルカリ合金を含む、請求項１２に記載のメモリスティブ・デバイス。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
（ａ）希土類窒化物材料（３）、および
（ｂ）該希土類窒化物材料を不動態化するための除去可能なキャッピング（５）
を含む構造体またはデバイス（１）であって、該除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなる；またはインジウムだけからなる、前記構造体またはデバイス。
【請求項２】
除去可能なキャッピング（５）は、６００℃未満および２００℃超の温度、１×１０-4トールもしくは１．３３×ｌ０-2Ｐａの圧力での真空下における蒸発または昇華によって除去可能である、請求項１に記載の構造体またはデバイス（１）。
【請求項３】
除去可能なキャッピング（５）は、希土類窒化物材料（３）の電気および／または光学特性を改変することなく除去可能である、請求項１に記載の構造体またはデバイス（１）。
【請求項４】
除去可能なキャッピング（５）は、希土類窒化物材料（３）のバルク構造特性を改変することなく除去可能である、請求項１に記載の構造体またはデバイス（１）。
【請求項５】
除去可能なキャッピング（５）は、希土類窒化物材料（３）の格子定数の１％未満、または０．５％未満、または０．１％未満または０．０５％未満の変化をもたらすために除去可能である、請求項１に記載の構造体またはデバイス（１）。
【請求項６】
除去可能なキャッピング（５）は、蒸発／昇華温度が６００°Ｃ未満または５００°Ｃ未満である金属系キャッピングである、請求項１に記載の構造体またはデバイス（１）。
【請求項７】
除去可能なキャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる、請求項１に記載の構造体またはデバイス（１）。
【請求項８】
除去可能なキャッピング（５）は、エピタキシャルキャッピング層であり、または除去可能なキャッピング（５）は、多結晶もしくは非晶質キャッピング層である、請求項１に記載の構造体またはデバイス（１）。
【請求項９】
希土類窒化物材料（３）は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択される希土類窒化物を含むもしくはそれからなり；
かつ／または、希土類窒化物材料（３）は、以下の群：窒化ランタン（ＬａＮ）、窒化プラセオジム（ＰｒＮ）、窒化ネオジム（ＮｄＮ）、窒化サマリウム（ＳｍＮ）、窒化ユウロピウム（ＥｕＮ）、窒化ガドリニウム（ＧｄＮ）、窒化テルビウム（ＴｂＮ）、窒化ジスプロシウム（ＤｙＮ）、窒化ホルミウム（ＨｏＮ）、窒化エルビウム（ＥｒＮ）、窒化ツリウム（ＴｍＮ）、窒化イッテルビウム（ＹｂＮ）、窒化ルテチウム（ＬｕＮ）から選択された任意の２種以上の希土類窒化物の希土類窒化物合金を含むもしくはそれからなる、
請求項１に記載の構造体またはデバイス（１）。
【請求項１０】
希土類窒化物材料（３）は、ベリリウム、マグネシウム、カルシウム、ストロンチウム、バリウムまたはラジウムである少なくとも１種の元素がドープされている、請求項１に記載の構造体またはデバイス（１）。
【請求項１１】
希土類窒化物材料（３）は、少なくとも一層または複数の連続層を含み、該少なくとも一層または複数の連続層が、希土類窒化物および／または希土類窒化物の合金を含むまたはそれからなる、請求項１に記載の構造体またはデバイス（１）。
【請求項１２】
基材（９）またはテンプレート（７）をさらに含み、希土類窒化物材料（３）は、該基材（９）もしくはテンプレート（７）上に配置され、または該基材もしくはテンプレートと直接接触している、請求項１に記載の構造体またはデバイス（１）。
【請求項１３】
基材（９）またはテンプレート（７）、ならびに該基材（９）またはテンプレート（１１）と希土類窒化物材料（３）の間に配置された少なくとも１種の追加の光学または電気的に活性な層をさらに含む、請求項１に記載の構造体またはデバイス（１）。
【請求項１４】
除去可能な不動態化キャッピング（５）を含む希土類窒化物構造体（１）または希土類窒化物デバイス（１）を製造するための方法であって、
（ａ）希土類窒化物材料（３）を提供する工程；および
（ｂ）該希土類窒化物材料（３）を不動態化するための除去可能な不動態化キャッピング（５）を堆積させる工程
を含み、該除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる、前記方法。
【請求項１５】
希土類窒化物材料（３）を不動態化するためのキャッピング（５）を除去するための方法であって、
（ａ）希土類窒化物材料（３）および該希土類窒化物材料（３）を不動態化するための除去可能なキャッピング（５）を含む構造体またはデバイス（１）を形成する工程；なら
びに
（ｂ）真空下における蒸発または昇華によって該不動態化キャッピング（５）を除去する工程
を含み、該除去可能な不動態化キャッピング（５）は、サマリウム、ユウロピウム、ツリウム、アンチモン、ビスマス、亜鉛、ヒ素、銀、ストロンチウム、カドミウム、カルシウム、鉛、ナトリウム、もしくはテルルを含むもしくはそれからなり；またはインジウムだけからなる、前記方法。
【請求項１６】
キャッピング（５）は、該希土類窒化物材料（３）の電気および／もしくは光学特性を改変することなく除去可能であり；または該除去可能なキャッピング（５）は、該希土類窒化物材料（３）の格子定数の１％未満、もしくは０．５％未満、もしくは０．１％未満もしくは０．０５％未満の変化をもたらすために除去可能である、請求項１４または１５に記載の方法。
【手続補正書】
【提出日】令和3年1月26日(2021.1.26)
【手続補正１】
【補正対象書類名】明細書
【補正対象項目名】０００６
【補正方法】変更
【補正の内容】
【０００６】
図１ｂは、現行技術水準において知られているそのような電力インバータを構成する要素をより詳細に示している。電力インバータ１０２は、スイッチングモード電源の原理で動作する。インバータは、送達される信号１１１、１１２および１１３の各々について、例えば信号１１１のためのトランジスタ１１５および１１６などのブリッジアームとして取り付けられた２つのトランジスタを切り替える制御回路１１４を備える。したがって、送達される信号は方形波電圧を有し、その値は電源の正極の値（通常は高電圧に対応する）または電源の負極の値（通常は接地）のいずれかである。スイッチの高周波スイッチングに起因して、スイッチが電力供給する電気機械を構成するコイルにおいて生成される信号の電流は交流電流である。パルスの周波数および幅により、これらの信号のさまざまなパラメータ（周波数、振幅および位相）、ひいては回転速度およびトルクを制御することが可能になる。
【手続補正２】
【補正対象書類名】明細書
【補正対象項目名】００７９
【補正方法】変更
【補正の内容】
【００７９】
図６ｂは、電気機械のコイルのうちの１つの斜視図である。この例では、巻線６０６が依然として考慮される。したがって、この巻線は、６１１、６１２および６１３の番号が付された３つのＵ字型ターンによって構成されている。これらのターンは、電気機械のケーシングの要素（図示せず）の周りに形成されているか、またはされていないため、プリント回路基板と同様に、それらを所定の位置に保持することが可能になる。これらの各ターンの両端（６３１および６４１、６３２および６４２、６３３および６４３）は、プリント回路基板６２０のトラックに接続されている。ターンとプリント回路基板との間の接合部６５０は、ステープル留め、はんだ付け、接着、またはこれらの要素を機械的および電気的に接続することを可能にする他の手段によって生成することができる。
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
単離されたキシラナーゼ酵素と、バチルス・リケニフォルミス株ＰＷＤ−１（アクセッション番号５３７５７）またはその同定特性をすべて有するその変異体の生物学的に純粋な培養物とを含む、単胃動物飼料用の飼料添加物製剤。
【請求項２】
バチルス・アミロリケファシエンス株Ｂａ−ＢＰＤ１（アクセッション番号ＤＳＭ２１８３６）またはその同定特性をすべて有するその変異体の生物学的に純粋な培養物をさらに含む、請求項１に記載の飼料添加物製剤。
【請求項３】
前記キシラナーゼがエンド−１，４−β−キシラナーゼである、請求項１に記載の飼料添加物製剤。
【請求項４】
前記製剤が、固体、粉末、懸濁濃縮物、液体、または顆粒である、請求項１に記載の飼料添加物製剤。
【請求項５】
前記キシラナーゼが１０，０００〜２００，０００単位／グラムの範囲であり、バチルス・リケニフォルミスが１０８〜１０１２ＣＦＵ／グラムの範囲である、請求項１に記載の飼料添加物製剤。
【請求項６】
前記キシラナーゼが１０，０００〜２００，０００単位／グラムの範囲であり、バチルス・リケニフォルミスが１０８〜１０１２ＣＦＵ／グラムの範囲であり、バチルス・アミロリケファシエンスが１０８〜１０１２ＣＦＵ／グラムの範囲である、請求項２に記載の飼料添加物製剤。
【請求項７】
請求項１に記載の飼料添加物製剤を含む、単胃動物用飼料組成物。
【請求項８】
単胃動物の能力を向上させる方法であって、キシラナーゼ酵素と、バチルス・リケニフォルミス株ＰＷＤ−１（アクセッション番号５３７５７）またはその同定特性をすべて有するその変異体の生物学的に純粋な培養物とを含む飼料組成物の有効量を、単胃動物に投与することを含む、方法。
【請求項９】
前記飼料組成物が、バチルス・アミロリケファシエンス株Ｂａ−ＢＰＤ１（アクセッション番号ＤＳＭ２１８３６）またはその同定特性をすべて有するその変異体の生物学的に純粋な培養物をさらに含む、請求項８に記載の方法。
【請求項１０】
前記キシラナーゼがエンド−１，４−β−キシラナーゼである、請求項８に記載の方法。
【請求項１１】
前記動物が家禽、ブロイラー、または、ブタである、請求項８に記載の方法。
【請求項１２】
能力の向上が、１日平均体重増加量の増加、総体重増加量の増加、飼料転換率の増進、病変スコアの減少、死亡率の減少、疾患の減少、および病原体発生率の減少の１つまたはこれらの組合せを含む、請求項８に記載の方法。
【請求項１３】
前記疾患および病変スコアの一方または両方が、クロストリジウム・パーフリンジェンス、アイメリア・アセルブリナ、アイメリア・マキシマ、アイメリア・テネラおよびコクシジウム症誘発寄生虫の１つまたはこれらの組合せの結果である、請求項１２に記載の方法。
【請求項１４】
前記動物が家禽であり、
能力の向上が、クロストリジウム・パーフリンジェンスおよびアイメリア属の１つまたはこれらの組合せから生じる病変スコアの減少を含む、請求項１２に記載の方法。
【請求項１５】
前記動物が家禽であり、
病原体発生率の減少がサルモネラ発生率の減少である、請求項１２に記載の方法。
【請求項１６】
キシラナーゼ酵素と、バチルス・リケニフォルミス株ＰＷＤ−１（アクセッション番号５３７５７）またはその同定特性をすべて有するその変異体の生物学的に純粋な培養物とを含む製剤を飼料組成物に添加することを含む、単胃動物用飼料組成物を調製する方法。
【請求項１７】
前記製剤が、バチルス・アミロリケファシエンス株Ｂａ−ＢＰＤ１（アクセッション番号ＤＳＭ２１８３６）またはその同定特性をすべて有するその変異体の生物学的に純粋な培養物をさらに含む、請求項１６に記載の方法。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
液体または液体と１または複数の物体（Ｐ）との混合物を、水域（Ｗ）内に沈められたコレクタデバイス（２、２’）から、水上船舶または構造（１、１’）に配置された受容設備（３１）へ移動するための揚水システムであって、
前記コレクタデバイス（２、２’）が、牽引手段（３）を介して前記水上船舶または搬送構造（１、１’）によって牽引されるように構成されるか、前記水域内で浮遊しているか、前記水域の下の海底（Ｂ）に沿って動いているか、又は、前記海底（Ｂ）において静止しており、
前記揚水システムは、前記コレクタデバイス（２、２’）と、前記受容設備（３１）と、前記水上船舶または構造（１、１’）とを備えると共に、第１の送出ライン（７）、第２の送出ライン（１１）、およびポンプユニット（９）をさらに備え、
前記第１の送出ライン（７）は、前記コレクタデバイス（２、２’）とポンプユニット入口（１８）との間で流体連結され、
前記第２の送出ライン（１１）は、ポンプユニット出口（１７）と前記受容設備（３１）との間で流体連結され、
前記ポンプユニットは、前記第１の送出ライン（７）における吸引力および前記第２の送出ライン（１１）における正圧を生み出すように構成され、
前記ポンプユニット（９）は、前記水域の表面（Ｓ）下で第１の深さ（ｄ）において前記水域（Ｗ）内に沈められ、前記コレクタ（２、２’）と前記受容設備（３１）との間に配置される一方、前記コレクタデバイス（２、２’）は、前記表面（Ｓ）下で第２の深さ（ｔ）に配置され、
前記ポンプユニット（９）は、連結手段（１０、２７、２８）を介して前記船舶または他の搬送構造（１、１’）によって支持されている、揚水システム。
【請求項２】
前記ポンプユニット（９）は、渦巻きポンプ、容積型ポンプ、または前記液体に機械エネルギを加える任意のポンプから成るグループから選択されるポンプ（２２）を備える、請求項１に記載の揚水システム。
【請求項３】
前記ポンプユニット（９）は、前記ポンプ（２２）から独立しているが、軸（２２ｂ）を介して前記ポンプに連結された密封ハウジング内のポンプモータ（２２ａ）を備える、請求項１または２に記載の揚水システム。
【請求項４】
前記受容設備（３１）は、前記表面（Ｓ）より上の高さ（ｈ）において構造（１、１’）に配置されている、請求項１〜３のいずれか１項に記載の揚水システム。
【請求項５】
前記ポンプユニット（９）の近傍の入口（１８）において前記第１の送出ライン（７）に流体連結され、前記第１の送出ライン内への周囲の海水の流入を可能にするように動作可能な弁（３０）を更に備える、請求項１〜４のいずれか１項に記載の揚水システム。
【請求項６】
前記弁は、チェック弁（３０）である、請求項５に記載の揚水システム。
【請求項７】
前記弁は、手動あるいは自動で操作され、または、１または複数の所定の圧力で開閉するように設定されている、請求項５または６に記載の揚水システム。
【請求項８】
前記弁（３０）は、調節可能弁である、請求項５〜７のいずれか１項に記載の揚水システム。
【請求項９】
前記受容設備（３１）の近傍に配置され、海水入口管（３４）および前記第２の送出ライン（１１）に流体連結されたフラッシングポンプ（３２）を更に備え、
前記フラッシングポンプ（３２）と前記第２の送出ライン（１１）との間に遮断弁（３３）が配置されている、請求項１〜８のいずれか１項に記載の揚水システム。
【請求項１０】
前記ポンプユニット（９）は、水中の流体力学的抵抗を低減するために形作られたハウジング（１３）を更に備える、請求項１〜９のいずれか１項に記載の揚水システム。
【請求項１１】
前記ポンプユニット（９）は、１または複数の重り（１４）を更に備える、請求項１〜１０のいずれか１項に記載の揚水システム。
【請求項１２】
前記ポンプユニット（９）は、前記ポンプユニットに下方向への力を加えるように構成されて動作可能な深さ舵（１９）を更に備える、請求項１〜１１のいずれか１項に記載の揚水システム。
【請求項１３】
前記受容設備は、前記液体および物体（Ｐ）のための処理手段（３１ａ〜ｃ）を備える処理プラントである、請求項１〜１１のいずれか１項に記載の揚水システム。
【請求項１４】
前記コレクタは、トロール船（１）によって牽引されるように構成されたトロール網（２）であり、
前記牽引手段は、牽引ワイヤ（３）を有する、請求項１〜１３のいずれか１項に記載の揚水システム。
【請求項１５】
前記液体は、海水であり、
前記物体（Ｐ）は、魚、オキアミ、または他のバイオマス、ホタテ貝、岩石、鉄鉱石片から成るグループから選択される、請求項１〜１４のいずれか１項に記載の揚水システム。
【請求項１６】
前記ポンプユニット（９）を支持する前記連結手段（１０、２７、２８）は、牽引ワイヤ（１０）、搬送アーム（２７）、吊上げワイヤ（２８）、舷外材及び伸縮アームのいずれか一つを有する、請求項１〜１５のいずれか１項に記載の揚水システム。
【請求項１７】
前記連結手段（１０、２７、２８）は、沈められた動作位置と、前記ポンプユニットが前記表面（Ｓ）上に持ち上げられた非動作位置との間で前記ポンプユニットを動かすように構成されている、請求項１から１６のいずれか１項に記載の揚水システム。
【請求項１８】
前記ポンプユニット（９）は、前記水上船舶または搬送構造（１、１’）内のタンクまたはムーンプール内に配置され、前記タンクまたはムーンプールは、周囲の海域に対し開かれている、請求項１〜１７のいずれか１項に記載の揚水システム。
【請求項１９】
前記液体または混合物を前記受容設備へ送出する真空ポンプシステムとしての、請求項１〜１８のいずれか１項に記載の揚水システムの使用。
【請求項２０】
請求項１〜１９に記載の揚水システムを動作させる方法であって、
ａ）前記第１の送出ライン（７）における圧力降下を決定、推定、または感知すること、および
ｂ）前記ポンプユニット（９）内のポンプ（２２）におけるキャビテーションを防ぐために十分なポンプ入口圧を提供する深さ（ｄ）に前記ポンプユニット（９）を配置すること
によって特徴付けられる方法。
【請求項２１】
請求項８に記載の揚水システムを動作させる方法であって、
ａ）前記第１の送出ライン（７）における圧力降下を決定、推定、または感知すること、および
ｂ）前記ポンプユニット（９）内の前記ポンプ（２２）におけるキャビテーションを防ぐために前記ポンプ（２２）への流入圧を調整するために前記調節可能弁（３０）を動作させること
によって特徴付けられる方法。
【請求項２２】
前記第１の送出ライン（７）における前記圧力降下は、前記第１の送出ライン（７）の長さ、内径及び内側表面特性に基づいて決定または推定される、請求項２０または２１に記載の方法。
【請求項２３】
前記工程ｂ）は、牽引ワイヤ（１０）、搬送アーム（２７）、吊上げワイヤ（２８）、舷外材及び伸縮アームのいずれか一つを有するポンプユニット連結手段を動作させることを含む、請求項２０に記載の方法。
【請求項２４】
前記第１の深さ（ｄ）は、１０〜３０メートルであり、
前記第２の深さ（ｔ）は、平均海面と３００メートルとの間である、請求項２０に記載の方法。
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
発現ベクターであって、
配列ＩＤ  ＮＯ：１、配列ＩＤ  ＮＯ：１の核酸と少なくとも９０％の配列同一性を有する核酸配列、配列ＩＤ  ＮＯ：３、又は配列ＩＤ  ＮＯ：３の核酸と少なくとも９０％の配列同一性を有する核酸配列からなる群から選択される核酸配列、および
前記核酸配列に作動可能に連結されるプロモーター、
を含む、発現ベクター。
【請求項２】
前記発現ベクターは、アデノ−関連ウイルスベクターである、
請求項１に記載の発現ベクター。
【請求項３】
前記アデノ−関連ウイルスベクターは、ＡＡＶ２、ＡＡＶ２／Ａｎｃ８０、ＡＡＶ５、ＡＡＶ６、ＡＡＶ６．２、ＡＡＶ７、ＡＡＶ８、ＡＡＶ９、ＡＡＶｒｈ８、ＡＡＶｒｈ１０、ＡＡＶｒｈ３９、ＡＡＶｒｈ４３、ＡＡＶ１、ＡＡＶ２、ＡＡＶ３、ＡＡＶ４、ＡＡＶ５、ＡＡＶ６、ＡＡＶ７、ＡＡＶ８又はＡｎｃ８０からなる群から選択される、
請求項２に記載の発現ベクター。
【請求項４】
前記プロモーターは、ＴＭＰＲＳＳ３プロモーター、Ｍｙｏ７ａプロモーター、ヒトサイトメガロウイルス（ＨＣＭＶ）プロモーター、サイトメガロウイルス／チキンベータ−アクチン（ＣＢＡ）プロモーター、又はＰｏｕ４ｆ３プロモーターからなる群から選択される、
請求項１に記載の発現ベクター。
【請求項５】
聴覚損失の治療または予防のための方法において使用のための医薬組成物であって、
配列ＩＤ  ＮＯ：１、配列ＩＤ  ＮＯ：１の核酸と少なくとも９０％の配列同一性を有する核酸配列、配列ＩＤ  ＮＯ：３、又は配列ＩＤ  ＮＯ：３の核酸と少なくとも９０％の配列同一性を有する核酸配列からなる群から選択される核酸配列、および前記核酸配列に作動可能に連結されるプロモーターを含む発現ベクターを含む、
医薬組成物。
【請求項６】
前記発現ベクターは、アデノ−関連ウイルスベクターである、
請求項５に記載の医薬組成物。
【請求項７】
前記アデノ−関連ウイルスベクターは、ＡＡＶ２、ＡＡＶ２／Ａｎｃ８０、ＡＡＶ５、ＡＡＶ６、ＡＡＶ６．２、ＡＡＶ７、ＡＡＶ８、ＡＡＶ９、ＡＡＶｒｈ８、ＡＡＶｒｈ１０、ＡＡＶｒｈ３９、ＡＡＶｒｈ４３、ＡＡＶ１、ＡＡＶ２、ＡＡＶ３、ＡＡＶ４、ＡＡＶ５、ＡＡＶ６、ＡＡＶ７、ＡＡＶ８又はＡｎｃ８０からなる群から選択される、
請求項６に記載の医薬組成物。
【請求項８】
前記プロモーターは、ＴＭＰＲＳＳ３プロモーター、Ｍｙｏ７ａプロモーター、ヒトサイトメガロウイルス（ＨＣＭＶ）プロモーター、サイトメガロウイルス／チキンベータ−アクチン（ＣＢＡ）プロモーター、又はＰｏｕ４ｆ３プロモーターからなる群から選択される、
請求項５に記載の医薬組成物。
【請求項９】
配列ＩＤ  ＮＯ：１、配列ＩＤ  ＮＯ：１の核酸と少なくとも９０％の配列同一性を有する核酸配列、配列ＩＤ  ＮＯ：３、又は配列ＩＤ  ＮＯ：３の核酸と少なくとも９０％の配列同一性を有する核酸配列からなる群から選択される核酸配列、および前記核酸配列に作動可能に連結されるプロモーターを含む発現ベクターを用いてトランスフェクションされた細胞。
【請求項１０】
前記発現ベクターは、アデノ−関連ウイルスベクターである、
請求項９に記載の細胞。
【請求項１１】
前記アデノ−関連ウイルスベクターは、ＡＡＶ２、ＡＡＶ２／Ａｎｃ８０、ＡＡＶ５、ＡＡＶ６、ＡＡＶ６．２、ＡＡＶ７、ＡＡＶ８、ＡＡＶ９、ＡＡＶｒｈ８、ＡＡＶｒｈ１０、ＡＡＶｒｈ３９、ＡＡＶｒｈ４３、ＡＡＶ１、ＡＡＶ２、ＡＡＶ３、ＡＡＶ４、ＡＡＶ５、ＡＡＶ６、ＡＡＶ７、ＡＡＶ８又はＡｎｃ８０からなる群から選択される、
請求項１０に記載の細胞。
【請求項１２】
前記プロモーターは、ＴＭＰＲＳＳ３プロモーター、Ｍｙｏ７ａプロモーター、ヒトサイトメガロウイルス（ＨＣＭＶ）プロモーター、サイトメガロウイルス／チキンベータ−アクチン（ＣＢＡ）プロモーター、又はＰｏｕ４ｆ３プロモーターからなる群から選択される、
請求項９に記載の細胞。
【請求項１３】
前記細胞は、幹細胞である、請求項９に記載の細胞。
【請求項１４】
前記幹細胞は、人工多能性幹細胞である、請求項１３に記載の細胞。
【請求項１５】
有効量を必要な被検体に投与することにより、聴覚損失を治療または予防するための組成物であって、
配列ＩＤ  ＮＯ：１、配列ＩＤ  ＮＯ：１の核酸と少なくとも９０％の配列同一性を有する核酸配列、配列ＩＤ  ＮＯ：３、又は配列ＩＤ  ＮＯ：３の核酸と少なくとも９０％の配列同一性を有する核酸配列からなる群から選択される核酸配列、および前記核酸配列に作動可能に連結されるプロモーターを含む発現ベクターを含む、組成物。
【請求項１６】
前記発現ベクターは、アデノ−関連ウイルスベクターである、
請求項１５に記載の組成物。
【請求項１７】
前記アデノ−関連ウイルスベクターは、ＡＡＶ２、ＡＡＶ２／Ａｎｃ８０、ＡＡＶ５、ＡＡＶ６、ＡＡＶ６．２、ＡＡＶ７、ＡＡＶ８、ＡＡＶ９、ＡＡＶｒｈ８、ＡＡＶｒｈ１０、ＡＡＶｒｈ３９、ＡＡＶｒｈ４３、ＡＡＶ１、ＡＡＶ２、ＡＡＶ３、ＡＡＶ４、ＡＡＶ５、ＡＡＶ６、ＡＡＶ７、ＡＡＶ８又はＡｎｃ８０からなる群から選択される、
請求項１６に記載の組成物。
【請求項１８】
前記プロモーターは、ＴＭＰＲＳＳ３プロモーター、Ｍｙｏ７ａプロモーター、ヒトサイトメガロウイルス（ＨＣＭＶ）プロモーター、サイトメガロウイルス／チキンベータ−アクチン（ＣＢＡ）プロモーター、又はＰｏｕ４ｆ３プロモーターからなる群から選択される、
請求項１５に記載の組成物。
【請求項１９】
前記発現ベクターは、被検体の内耳に注射によって投与される、請求項１５に記載の組成物。
【請求項２０】
前記注射方法は、蝸牛開口術、蝸牛窓膜、内リンパ嚢、中央階、半規管開口術（ｃａｎａｌｏｓｔｏｍｙ）、内リンパ嚢経由の中央階、又はそれらの任意の組み合わせからなる群から選択される、請求項１９に記載の組成物。
【請求項２１】
前記被検体は、聴覚損失に関連する一つ以上の遺伝的危険因子を有する、請求項１５に記載の組成物。
【請求項２２】
前記遺伝的危険因子の一つは、ＴＭＰＲＳＳ３遺伝子の変異又はＬＯＸＨＤ１遺伝子の変異からなる群から選択される、請求項２１に記載の組成物。
【請求項２３】
前記被検体は、聴覚損失の任意の臨床指標を示さない、請求項２１に記載の組成物。
【請求項２４】
ヒトＬＯＸＨＤ１遺伝子の変異又はヒトＴＭＰＲＳＳ３遺伝子の変異からなる群から選択される聴覚損失を引き起こす変異を含む、遺伝子導入マウス。
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
少なくとも４つのＣ．ｄｉｆｆｉｃｉｌｅ毒素タンパク質の部分を含み、
前記部分が、二成分毒素（ＣＤＴ）タンパク質、毒素Ａタンパク質、および２つの毒素Ｂタンパク質からのものであり、前記毒素Ｂタンパク質が異なるＣ．ｄｉｆｆｉｃｉｌｅ菌株からのものである、多価の免疫原性ポリペプチド。
【請求項２】
少なくとも１つの毒素Ｂ部分が流行性菌株．からのものであり、
必要に応じて、前記流行性菌株がＮＡＰ１菌株（ＴｃｄＢ（０２７））である、請求項１に記載の多価の免疫原性ポリペプチド。
【請求項３】
前記毒素Ｂ部分のうちの１つが６３０菌株（ＴｃｄＢ（００３））からのものである、請求項１に記載の多価の免疫原性ポリペプチド。
【請求項４】
前記部分が、前記２つの毒素Ｂ部分間の前記毒素Ａ部分とともに配向されている、または、前記ＣＤＴ部分が、前記毒素Ｂ部分のうちの一方または両方のＮ末端である、請求項１に記載の多価の免疫原性ポリペプチド。
【請求項５】
（ａ）前記ＣＤＴ部分が、配列番号２２に対して少なくとも９０％の相同性を有するアミノ酸配列を有する、または、
（ｂ）前記毒素Ｂ部分のうちの１つが、配列番号２３もしくは配列番号２５に対して少なくとも９０％の相同性を有するアミノ酸配列を有する、または
（ｃ）前記毒素Ａ部分が、配列番号２４に対して少なくとも９０％の相同性を有するアミノ酸配列を有する、
請求項１に記載の多価の免疫原性ポリペプチド。
【請求項６】
前記部分が、２アミノ酸リンカー、３アミノ酸リンカー、または４アミノ酸リンカーにより分離されており、
必要に応じて、前記リンカーが、アラニン−セリン（ＡＳ）、ロイシン−グルタミン酸（ＬＥ）、およびセリン−アルギニン（ＳＲ）からなる群から選択される、請求項１に記載の多価の免疫原性ペプチド。
【請求項７】
前記ポリペプチドが、配列番号２１のアミノ酸配列を含む、請求項１に記載の多価の免疫原性ポリペプチド。
【請求項８】
請求項１〜７のいずれかに記載のポリペプチドをコードするポリヌクレオチドを含む、核酸分子。
【請求項９】
（ａ）昆虫宿主細胞において前記ポリペプチドを発現させることであって、必要に応じて、前記昆虫宿主がＳｆ９細胞であることと、
（ｂ）ナノ粒子の形態の非イオン性洗剤の存在下で前記ポリペプチドを精製することと、
（ｃ）薬学的に許容される担体、賦形剤、または希釈剤に前記ナノ粒子を懸濁することと、を含む、請求項１に記載のポリペプチドの調製方法。
【請求項１０】
前記昆虫宿主細胞が、前記ポリペプチドの発現に好適な条件下で、組換えバキュロウイルス構築物でトランスフェクトされる、請求項９に記載の方法。
【請求項１１】
請求項１〜７のいずれかに記載の免疫原性ポリペプチドと、薬学的に許容される担体、賦形剤、または希釈剤と、を含む、ワクチン組成物。
【請求項１２】
前記組成物がアジュバントを含む、請求項１１に記載のワクチン組成物。
【請求項１３】
前記アジュバントがサポニン系アジュバントであり、
前記サポニン系アジュバントが、画分Ａマトリックスおよび画分Ｃマトリックスを含有する、請求項１１または１２に記載のワクチン組成物。
【請求項１４】
前記画分Ａマトリックスの量が、約８５％〜約９２％であり、残りが画分Ｃマトリックスである、請求項１３に記載のワクチン組成物。
【請求項１５】
Ｃｌｏｓｔｒｉｄｉｕｍ  Ｄｉｆｆｉｃｉｌｅ感染症の予防または治療のための薬剤の製造のための、請求項１〜７のいずれかに記載のポリペプチド、または請求項８に記載の核酸の使用。
【請求項１６】
請求項１〜７のいずれかに記載の多価の免疫原性ポリペプチドと、非イオン性洗剤と、を含む、ナノ粒子。